(57)【要約】引戸が自重によって自動的に閉まり、及び／又は開くように構成される引戸装置において、製造が容易な引戸装置を提供する。引戸が吊り下げられる走行体を案内する引戸用レール（１）に、走行体（３，４）が走行する水平部（２１ａ，２２ａ）を有する水平レール（２１，２２）と、引戸（２）が自重によって自動的に閉まり、及び／又は開くように、走行体（３，４）が走行する傾斜部（５ａ２，６ａ２）を含む走行部（５ａ，６ａ）を有する傾斜体（５，６）と、を設ける。水平レール（２１，２２）と傾斜体（５，６）とを別体にし、水平レール（２１，２２）の水平部（２１ａ，２２ａ）と傾斜体（５，６）の走行部（５ａ，６ａ）とが連続するように、水平レール（２１，２２）と傾斜体（５，６）とを配置する。
2017073277.tif 000002
【特許請求の範囲】
【請求項１】
引戸が吊り下げられる走行体を案内する引戸用レールであって、
前記走行体が走行する水平部を有する水平レールと、
前記引戸が自重によって自動的に閉まり、及び／又は開くように、前記走行体が走行する傾斜部を含む走行部を有する傾斜体と、を備え、
前記水平レールと前記傾斜体とが別体であり、
前記水平レールの前記水平部と前記傾斜体の前記走行部とが連続するように、前記水平レールと前記傾斜体とが配置される引戸用レール。
【請求項２】
前記引戸用レールはさらに、
前記水平レールに繋がり、前記傾斜体が取り付けられる延長レールを備えることを特徴とする請求項１に記載の引戸用レール。
【請求項３】
前記水平レールには、前記傾斜体の一部が挿入されることを特徴とする請求項２に記載の引戸用レール。
【請求項４】
前記引戸用レールはさらに、
前記傾斜体の前記走行部に対向する対向部を有する跳上げ防止体を備えることを特徴とする請求項１ないし３のいずれか１項に記載の引戸用レール。
【請求項５】
前記走行体は、戸先側走行体と、戸尻側走行体と、を備え、
前記水平レールは、
前記戸先側走行体の片輪が走行する第一水平レールと、
前記戸尻側走行体の片輪が走行し、前記第一水平レールとは長さが異なる第二水平レールと、
前記第一水平レール及び前記第二水平レールが連結されるベースフレームと、を備えることを特徴とする請求項１に記載の引戸用レール。
【請求項６】
前記傾斜体は、
前記戸先側走行体の前記片輪が走行する第一傾斜体と、
前記戸尻側走行体の前記片輪が走行する第二傾斜体と、を備え、
前記引戸用レールはさらに、
前記第一水平レールに繋がり、前記第一傾斜体が取り付けられる第一延長レールと、
前記第二水平レールに繋がり、前記第二傾斜体が取り付けられ、前記第一延長レールとは長さが異なる第二延長レールと、を備え、
前記第一延長レール及び前記第二延長レールが、前記ベースフレームに連結されることを特徴とする請求項５に記載の引戸用レール。
【請求項７】
請求項１ないし６のいずれか１項に記載の引戸用レールと、
前記引戸が吊り下げられる前記走行体と、を備える引戸装置。
【発明の詳細な説明】
【技術分野】
【０００１】
本発明は、引戸が吊り下げられる走行体を案内する引戸用レール及びこの引戸用レールを備える引戸装置に関し、特に引戸が自重によって自動的に閉まり、及び／又は開くように構成される引戸用レール及び引戸装置に関する。
【背景技術】
【０００２】
この種の引戸装置として、引戸の上面に戸先側走行体及び戸尻側走行体を引戸の幅方向に離して取り付け、戸先側走行体及び戸尻側走行体を引戸用レールによって案内するものが知られている。引戸が自重によって自動的に閉まるようにするために、特許文献１には、引戸用レールを、戸先側走行体の片輪が走行する第一走行面と、戸尻側走行体の片輪が走行し、第一走行面と平行な第二走行面と、から構成し、第一走行面に戸先側走行体の片輪が落ち込む凹部を設け、第二走行面に戸尻側走行体の片輪が落ち込む凹部を設けた引戸装置が開示されている。特許文献１に記載の引戸装置において、引戸が閉じ位置近傍に移動すると、戸先側走行体の片輪及び戸尻側走行体の片輪が同時に凹部に落ち込み、引戸が自重によって自動的に閉まる。なお、戸先側走行体と戸尻側走行体は、引戸の幅方向に離れて配置されるので、第一走行面の凹部と第二走行面の凹部は、引戸の幅方向に離れて配置される。【０００３】
引戸が自重によって自動的に閉まるように構成した他の引戸装置として、特許文献２には、引戸用レールに、戸先側走行体の片輪が走行する第一レールと、戸尻側走行体の片輪が走行する第二レールと、を取り付けたものが開示されている。第一レールには、戸先側走行体の片輪が走行する水平部及び傾斜部が設けられる。第二レールには、戸尻側走行体の片輪が走行する水平部及び傾斜部が設けられる。引戸が閉じ位置近傍に移動すると、戸先側走行体及び戸尻側走行体の片輪が同時に水平部から傾斜部に落ち込み、引戸が自重によって自動的に閉まる。
【先行技術文献】
【特許文献】
【０００４】
【特許文献１】特開平１０−３１７８３９号公報
【特許文献２】特開２００４−１９７３７２号公報
【発明の概要】
【発明が解決しようとする課題】
【０００５】
しかし、典型的な引戸用レールは、アルミ等の金属を押出し成形することで製造される。特許文献１に記載の発明にあっては、押出し成形された一定断面の細長い引戸用レールに凹部を加工するのが困難であるという課題がある。また、車輪が凹部に落ち込む構成を採用しているので、引戸の閉じ動作が円滑ではないという課題もある。【０００６】
特許文献２に記載の発明にあっては、第一及び第二レールに、水平部と水平部に連続する傾斜部を設けるので、引戸の閉じ動作を滑らかにすることができる。しかし、特許文献１に記載の発明と同様に、一定断面で細長い第一及び第二レールに傾斜部を加工するのが困難であるという課題がある。仮に、第一及び第二レールを樹脂成形したとしても、巨大な金型が必要になり、第一及び第二レールを製造するのが困難であることには変わりはない。【０００７】
そこで、本発明は、製造が容易な引戸用レール及び引戸装置を提供することを目的とする。
【課題を解決するための手段】
【０００８】
上記課題を解決するために、本発明の一態様は、引戸が吊り下げられる走行体を案内する引戸用レールであって、前記走行体が走行する水平部を有する水平レールと、前記引戸が自重によって自動的に閉まり、及び／又は開くように、前記走行体が走行する傾斜部を含む走行部を有する傾斜体と、を備え、前記水平レールと前記傾斜体とが別体であり、前記水平レールの前記水平部と前記傾斜体の前記走行部とが連続するように、前記水平レールと前記傾斜体とが配置される引戸用レールである。【０００９】
本発明の他の態様は、上記に記載の引戸用レールと、前記引戸が吊り下げられる前記走行体と、を備える引戸装置である。
【発明の効果】
【００１０】
本発明によれば、水平レールに傾斜部を加工する必要がないので、押出し成形によって水平レールを製造するのが容易である。また、傾斜部を有する傾斜体の長さを短くすることができるので、傾斜体の製造も容易である。
【図面の簡単な説明】
【００１１】
【図１】本発明の一実施形態の引戸装置の外観斜視図である。
【図２】本実施形態の引戸装置の内部構造の斜視図である。
【図３】本実施形態の引戸装置の分解斜視図である。
【図４】図３の拡大図である。
【図５】第一水平レールの断面図である。
【図６】第一延長レールの断面図である。
【図７】引戸用レールの正面図である。
【図８】第二傾斜体の詳細図である（図８（ａ）は正面図、図８（ｂ）は平面図、図８（ｃ）は図８（ａ）のＡ−Ａ線断面図、図８（ｄ）は側面図、図８（ｅ）は背面図である）。
【図９】第二跳上げ防止体の詳細図である（図９（ａ）は正面図、図９（ｂ）は側面図、図９（ｃ）は底面図である）。
【図１０】本実施形態の引戸装置の動作を示す斜視図である（図１０（ａ）は引戸が閉じ位置近傍にある状態を示し、図１０（ｂ）は引戸が閉じ位置にある状態を示す）。
【図１１】本実施形態の引戸装置の動作を示す断面図である（図１１（ａ）は引戸が閉じ位置近傍にある状態を示し、図１１（ｂ）は引戸が閉じ位置にある状態を示す）。
【発明を実施するための形態】
【００１２】
以下、添付図面に基づいて、本発明の一実施形態の引戸装置を詳細に説明する。ただし、本発明の引戸装置は、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１３】
図１は、本実施形態の引戸装置の外観を示す斜視図であり、図２は、引戸装置の内部構造を示す斜視図である。図２において、内部構造をわかり易くするために、引戸用レール１の第二延長レール２４（図３参照）が取り外されている。引戸装置は、図示しない建築物の上枠に取り付けられる引戸用レール１と、引戸用レール１内に配置され、引戸２が吊り下げられる走行体３，４と、を備える。走行体３，４は、引戸２の幅方向に離れて配置される戸先側走行体３と戸尻側走行体４を備える。
【００１４】
引戸用レール１は、傾斜部５ａ２を有する第一傾斜体５と、傾斜部６ａ２を有する第二傾斜体６と、を備える。第一傾斜体５と第二傾斜体６は、戸先側走行体３と戸尻側走行体４と同様に、引戸２の幅方向に離れて配置される。引戸２は、引戸用レール１に沿って開き位置から閉じ位置まで移動する。引戸２が閉じ位置近傍に移動すると、戸先側走行体３の片輪７が第一傾斜体５の傾斜部５ａ２に乗り上げ、戸尻側走行体４の片輪８が第二傾斜体６の傾斜部６ａ２に乗り上げる。引戸２は、自重によって自動的に閉じ位置まで移動する。
【００１５】
図３は本実施形態の引戸装置の分解斜視図を示し、図４は図３の拡大図を示す。これらの図において、同一の構成要素には同一の符号を附す。なお、以下の説明においては、説明の便宜上、引戸用レール１の閉じ側の端部から長さ方向に見たときの方向、すなわち図３、図４の上下、左右及び前後を用いて引戸装置の構成を説明する。
【００１６】
引戸２の上面には、戸先側走行体３及び戸尻側走行体４が前後方向に離れて取り付けられる。図４に示すように、戸先側走行体３及び戸尻側走行体４それぞれは、引戸２の上面に取り付けられるパネルブラケット１１と、パネルブラケット１１に対して上下方向の位置調整が可能なローラブラケット１３と、ローラブラケット１３に回転可能に支持される片輪７又は８と、パネルブラケット１１とローラブラケット１３との間に配置されるブッシュ１２と、を備える。戸先側走行体３の片輪７と戸尻側走行体４の片輪８は、左右方向に位置がずれている。戸先側走行体３の片輪７は、ローラブラケット１３の左側に配置される。戸尻側走行体４の片輪８は、ローラブラケット１３の右側に配置される。ローラブラケット１３は上下方向の位置を調整した後、パネルブラケット１１に固定される。ブッシュ１２は、後述する第一水平レール２１と第二水平レール２２との間、及び第一延長レール２３と第二延長レール２４との間に配置され、戸先側走行体３及び戸尻側走行体４が円滑に移動するのを保証する。
【００１７】
図３に示すように、引戸２の底面には、前後方向に延びる溝２ａが設けられる。引戸２の下部を案内できるように、溝２ａには底面に固定される案内体１５が嵌る。
【００１８】
引戸用レール１は、第一及び第二水平レール２１，２２、第一及び第二延長レール２３，２４、第一及び第二傾斜体５，６、第一及び第二跳上げ防止体２６，２７を備える。以下にこられの構成要素を順番に説明する。
【００１９】
図４に示すように、第一及び第二水平レール２１，２２は、アルミ等の金属の押出し成形によって製造され、一定断面の長尺材である。第一水平レール２１は、戸先側走行体３の片輪７が走行する水平部２１ａを有する。第二水平レール２２は、戸尻側走行体４の片輪８が走行する水平部２２ａを有する。第一水平レール２１は第二水平レール２２よりも長い。長さ方向から見たときの第一水平レール２１の形状と第二水平レール２２の形状は左右対称である。第一及び第二水平レール２１，２２は、ベースフレーム２５に連結される。
【００２０】
図５は、第一水平レール２１の断面図を示す。第一水平レール２１は、断面形状において、垂直壁２１ｂと、垂直壁２１ｂから水平方向に突出する上下四段の水平壁２１ｃ〜２１ｆと、を備える。最上段の水平壁２１ｃと二段目の水平壁２１ｄとの間に、ベースフレーム２５が長さ方向に挿入されるフレーム挿入部２１ｇが設けられる。二段目の水平壁２１ｄの先端部には、ベースフレーム２５が左右方向に抜けるのを防止する略四角形の膨出部２１ｈが設けられる。三段目の水平壁２１ｅの上面は、戸先側走行体３の片輪７が走行する水平部２１ａを構成する。水平部２１ａの断面形状は、片輪７の形状に合わせた円弧状である。片輪７が水平部２１ａを移動している間、片輪７の上下方向の位置は一定である。三段目の水平壁２１ｅと最下段の水平壁２１ｆとの間に、第一傾斜体５の一部５ｂ（図４参照）が挿入される傾斜体挿入部２１ｉが設けられる。第二水平レール２２の断面形状は、第一水平レール２１と同一であるので、第二水平レール２２の詳しい説明は省略する。
【００２１】
図４に示すように、第一及び第二水平レール２１，２２には、第一及び第二延長レール２３，２４が繋がる。第一及び第二延長レール２３，２４は、アルミ等の金属の押出し成形によって製造され、一定断面の長尺材である。第二延長レール２４は第一延長レール２３よりも長い。長さ方向から見たときの第一延長レール２３の形状と第二延長レール２４の形状は左右対称である。第一延長レール２３と第一水平レール２１とを合算した長さは、第二延長レール２４と第二水平レール２２とを合算した長さに等しい。
【００２２】
図６は、第一延長レール２３の断面図を示す。第一延長レール２３は、断面形状において、垂直壁２３ａと、垂直壁２３ａから水平方向に突出する上下三段の水平壁２３ｂ〜２３ｄと、を備える。第一水平レール２１と第一延長レール２３とは、第一水平レール２１の三段目の水平壁２１ｅが設けられているか否かで相違するだけであり、両者の外観形状は同一である。最上段の水平壁２３ｂと二段目の水平壁２３ｃとの間に、ベースフレーム２５が長さ方向に挿入されるフレーム挿入部２３ｅが設けられる。最下段の水平壁２３ｄの上面には、第一傾斜体５が載置される。第二延長レール２４の断面形状は、第一延長レール２３と同一であるので、第二延長レール２４の詳しい説明は省略する。
【００２３】
図４に示すように、ベースフレーム２５は、アルミ等の金属の押出し成形によって製造され、一定断面の長尺材である。図７の引戸用レール１の正面図に示すように、ベースフレーム２５は、長さ方向から見て、略逆Ｔ字状である。ベースフレーム２５の左右の両端部２５ａ，２５ｂは、第一及び第二水平レール２１，２２、第一及び第二延長レール２３，２４のフレーム挿入部２１ｇ，２３ｅに挿入される。挿入後、ベースフレーム２５とこれらのレールとは止めねじ等の締結部材３１によって締結される。ベースフレーム２５は止めねじ等の締結部材（図示せず）によって建築物の上枠に締結される。
【００２４】
図８は、第二傾斜体６の詳細図を示す。第二傾斜体６は、横長略直方体状であり、その上面に戸尻側走行体４の片輪８が走行する走行部６ａを有する。第二傾斜体６はポリアセタール等の樹脂製であり、射出成形又は切削加工により製造される。第二傾斜体６の走行部６ａは、側面視において、第二水平レール２２側の端部に設けられ、長さの短い水平部６ａ１と、前方に向かって下方に傾斜し、長さの長い傾斜部６ａ２と、を有する。走行部６ａの断面形状は、戸尻側走行体４の片輪８に合わせて円弧状である（図８（ａ）参照）。走行部６ａの左右方向の一端部には、戸尻側走行体４の片輪８が脱落するのを防止する壁６ｃが設けられる。第二傾斜体６の第二水平レール２２側の端部には、断面略四角形の突出部６ｂが設けられる。この突出部６ｂが第二水平レール２２の傾斜体挿入部２２ｉ（図４参照）に挿入される。突出部６ｂを傾斜体挿入部２２ｉに挿入すると、第二水平レール２２の水平部２２ａと第二傾斜体６の走行部６ａとが連続する。第二傾斜体６には、第二傾斜体６を第二延長レール２４に取り付けるための止めねじ３１（図４参照）が螺合するねじ穴６ｄが設けられる。止めねじ３１の一つは、第二水平レール２２の通し穴を通る。
【００２５】
図４に示すように、第一傾斜体５は、横長略直方体状であり、その上面に戸先側走行体３の片輪７が走行する走行部５ａを有する。長さ方向から見て、第一傾斜体５の形状と第二傾斜体６の形状とは左右対称であるので、第一傾斜体５の構成の詳しい説明は省略する。
【００２６】
図９は、第二跳上げ防止体２７の詳細図を示す。第二跳上げ防止体２７は、横長略直方体状であり、その下面に第二傾斜体６の走行部６ａに実質的に平行な対向部２７ａを有する。図９（ｂ）の側面図には、図４の第二傾斜体６を反転させた状態が示される。第二跳上げ防止体２７は、ポリアセタール等の樹脂製であり、射出成形又は切削加工により製造される。第二跳上げ防止体２７の対向部２７ａの断面形状は、平坦である。対向部２７ａは、第二傾斜体６の走行部６ａの水平部６ａ１に対向し、長さの短い水平部２７ａ１と、第二傾斜体６の走行部６ａの傾斜部６ａ２に対向し、長さの長い傾斜部２７ａ２と、を有する。第二跳上げ防止体２７の角２７ｂ（図９（ａ）参照）は、第二延長レール２４の角２３ｃ１（図６参照）に合わせた円弧状である。第二跳上げ防止体２７には、第二傾斜体６を第二延長レール２４に取り付けるための止めねじ等の締結部材３２（図４参照）が螺合するねじ穴２７ｃが設けられる。図２に示すように、第二跳上げ防止体２７は、第二傾斜体６の上方に配置される。第二跳上げ防止体２７の対向部２７ａと第二傾斜体６の走行部６ａとの間隔は、戸尻側走行体４の片輪８の直径よりも僅かに大きく、走行部６ａ、対向部２７ａの長さ方向において略一定である。
【００２７】
図４に示すように、第一跳上げ防止体２６は、横長略直方体状であり、その下面に第一傾斜体５の走行部５ａに実質的に平行な対向部２６ａを有する。引戸用レール１の長さ方向から見て、第一跳上げ防止体２６の形状と第二跳上げ防止体２７の形状とは左右対称であるので、第一跳上げ防止体２６の構成の詳しい説明は省略する。
【００２８】
ベースフレーム２５の一端部には、ダンパユニット３６が取り付けられる。ダンパユニット３６は、図示しないリニアダンパが収容されるダンパベース３４と、ダンパベース３４に対して長さ方向にスライド可能なピストンカバー３５と、を備える。ダンパベース３４とピストンカバー３５との間には、リニアダンパが介在する。ダンパベース３４に対してピストンカバー３５がスライドすると、リニアダンパが縮まり、ダンパ力が発生する。
【００２９】
図１０及び図１１は、本実施形態の引戸装置の動作図を示す。図１０においては、内部構造をわかり易くするために、第二延長レール２４を取り外している。図１１は、引戸用レール１に沿った引戸装置の断面図を示す。
【００３０】
引戸２が開き位置にあるとき、戸先側走行体３の片輪７は、第一水平レール２１の水平部２１ａ上にあり、戸尻側走行体４の片輪８は、第二水平レール２２の水平部２２ａ上にある（図３参照）。開き位置にある引戸２を閉じ方向に移動させるとき、戸先側走行体３の片輪７は、第一水平レール２１の水平部２１ａ上を走行し、戸尻側走行体４の片輪８は、第二水平レール２２の水平部２２ａ上を走行する。図１０（ａ）及び図１１（ａ）に示すように、引戸２をさらに閉じ方向に移動させると、戸先側走行体３の片輪７は、第一水平レール２１から第一傾斜体５に乗り移り、戸尻側走行体４の片輪８は、第二水平レール２２から第二傾斜体６に乗り移る。第一傾斜体５及び第二傾斜体６の傾斜部５ａ２，６ａ２は、前方に向かって下に傾斜するので、引戸２はその自重によって自動的に閉じ位置まで移動する。引戸２が閉じ位置近傍まで移動すると、戸先側走行体３がダンパユニット３６のピストンカバー３５に当接する。このため、ダンパ力が発生し、引戸２がゆっくりと閉まる。図１０（ｂ）及び図１１（ｂ）に示すように、引戸２が完全に閉まっても、戸先側走行体３及び戸尻側走行体４の片輪７，８は、第一及び第二傾斜体５，６の傾斜部５ａ２，６ａ２の途中にある。閉じ位置にある引戸２に閉じ方向の力が働くので、引戸２が閉じ位置に保持される。
【００３１】
以上に本実施形態の引戸装置の構成を説明した。本実施形態の引戸装置によれば、以下の効果を奏する。
【００３２】
第一水平レール２１と第一傾斜体５とが別体であり、第一水平レール２１に傾斜部５ａ２を加工する必要がないので、押出し成形によって第一水平レール２１を製造するのが容易である。また、第一傾斜体５の長さを短くすることができるので、樹脂成形によって第一傾斜体５を製造するのも容易である。第二水平レール２２と第二傾斜体６に関しても同様である。
【００３３】
第一水平レール２１に第一延長レール２３を繋げ、第一延長レール２３に第一傾斜体５を取り付けるので、引戸用レール１の連続性を確保することができ、引戸用レール１の見栄えが向上する。第二水平レール２２と第二延長レール２４に関しても同様である。
【００３４】
第一傾斜体５の突出部５ｂを第一水平レール２１の傾斜体挿入部２１ｉに挿入するので、第一水平レール２１の水平部２１ａと第一傾斜体５の走行部５ａとの連続性を確保することができる。第二傾斜体６と第二水平レール２２に関しても同様である。
【００３５】
第一傾斜体５の走行部５ａに対向する対向部２６ａを有する第一跳上げ防止体２６を設けるので、引戸２が閉まるとき（正確にいえば、戸先側走行体３がダンパユニット３６に当接するとき）、引戸２が跳ね上がるのを防止できる。第二傾斜体６と第二跳上げ防止体２７に関しても同様である。なお、第一及び第二跳上げ防止体２６、２７の対向部２６ａ，２７ａは、第一及び第二傾斜体５，６の走行部５ａ，６ａに対して完全に平行でなくてもよく、引戸２の跳ね上げを防止できる程度に傾いていてもよい。
【００３６】
第一及び第二水平レール２１，２２をベースフレーム２５に連結するので、長さの異なる第一及び第二水平レール２１，２２を連結するのが容易である。
【００３７】
第一及び第二延長レール２３，２４をベースフレーム２５に連結するので、引戸用レール１の組立てが容易である。
【００３８】
本発明は上記実施形態に具現化されるのに限られることはなく、本発明の要旨を変更しない範囲でさまざまな実施形態に変更可能である。
【００３９】
上記実施形態では、第一水平レールと第二水平レールを左右に配置し、戸先側走行体の片輪が第一水平レールを走行し、戸尻側走行体の片輪が第二水平レールを走行するように構成しているが、第一水平レールと第二水平レールとを上下にずらして配置し、戸先側走行体の両輪が第一水平レールを走行し、戸尻側走行体の両輪が第二水平レールを走行するように構成することもできる。第一傾斜体と第二傾斜体に関しても同様である。
【００４０】
上記実施形態では、第一及び第二傾斜体の走行部を水平部と傾斜部とから構成しているが、傾斜部のみから構成することもできる。
【００４１】
上記実施形態では、傾斜体を引戸の閉じ位置側に配置し、引戸が自重によって自動的に閉まるように引戸装置を構成しているが、傾斜体を引戸の開き位置側に配置し、引戸が自重によって自動的に開くように引戸装置を構成することもできる。また、傾斜体を引戸の閉じ位置側及び開き位置側の両方に配置し、引戸が自重によって自動的に閉じ、かつ自動的に開くように引戸装置を構成することもできる。
【００４２】
本明細書は、２０１５年１０月２６日出願の特願２０１５−２０９６５０に基づく。この内容はすべてここに含めておく。
【符号の説明】
【００４３】
１…引戸用レール
２…引戸
３…戸先側走行体（走行体）
４…戸尻側走行体（走行体）
５…第一傾斜体（傾斜体）
５ａ…走行部
５ａ２…傾斜部
５ｂ…突出部（傾斜体の一部）
６…第二傾斜体（傾斜体）
６ａ…走行部
６ａ２…傾斜部
６ｂ…突出部（傾斜体の一部）
７…戸先側走行体の片輪
８…戸尻側走行体片輪
２１…第一水平レール（水平レール）
２１ａ…水平部
２１ｇ…フレーム挿入部
２２…第二水平レール（水平レール）
２２ａ…水平部
２３…第二延長レール（延長レール）
２３ｅ…フレーム挿入部
２４…第二延長レール（延長レール）
２５…ベースフレーム
２６…第一跳上げ防止体
２６ａ…対向部
２７…第二跳上げ防止体
２７ａ…対向部
【図１】
2017073277.tif 000003
【図２】
2017073277.tif 000004
【図３】
2017073277.tif 000005
【図４】
2017073277.tif 000006
【図５】
2017073277.tif 000007
【図６】
2017073277.tif 000008
【図７】
2017073277.tif 000009
【図８】
2017073277.tif 000010
【図９】
2017073277.tif 000011
【図１０】
2017073277.tif 000012
【図１１】
2017073277.tif 000013
【国際調査報告】
2017073277.tif 000014
2017073277.tif 000015